(57)【要約】【課題】  簡易な構成で音響の伝搬を抑制できる建物の基礎床と天井の間に設けられる建物構造とその建物構造の建造方法を提供する。【解決手段】  従来の建物構造に変わって、二重床と支持脚と間仕切り壁と密閉構造と、を備え、前記間仕切り壁の下端が前記床パネルの上面に接合され、前記密閉構造が前記間仕切り壁に沿って１対の側部を上下方向を向く様に配置された長尺の板材であって一方の側部を前記二重床と基礎床との一方に固定され他方の側部を前記二重床と基礎床との他方に向けた密閉用板材と前記間仕切り壁に沿って前記二重床と基礎床との他方に敷かれる様に配置された弾性または弾塑性のうちの一方を持つマット状部材である密閉用マット部材とを有し、前記密閉用板材の他方の側部が前記密閉用マット部材を前記間仕切り壁に沿って略隙間なく押し潰す、ものとした。【選択図】    図１
2011006892.tif 000002
【特許請求の範囲】
【請求項１】
建物の基礎床と天井の間に設けられる建物構造であって、
建物の複数の室内空間の床を形成する床パネルと前記室内空間を囲う輪郭に沿って該床パネルに設けられ基礎床に向かって突起し下方に向いた側部を持つ突起部とを有する二重床と、
前記床パネルを前記基礎床から所定の高さを持った隙間を設けて支持する支持脚と、
前記室内空間を囲う様に前記二重床と天井との間を間仕切る間仕切り壁と、
前記間仕切り壁に沿って基礎床に敷かれる様に配置された弾性または弾塑性のうちの一方を持つマット状部材である密閉用マット部材と、
を備え、
前記間仕切り壁の下端が前記床パネルの上面に接合され、
前記突起部の前記側部が前記密閉用マット部材を前記間仕切り壁に沿って略隙間なく押し潰し、
前記突起部と前記密閉用マットとが前記間仕切り壁に沿って前記床パネルと基礎床との隙間を密閉する、
ことを特徴とする建物構造。
【請求項２】
建物の基礎床と天井の間に設けられる建物構造であって、
建物の複数の室内空間の床を形成する床パネルを有する二重床と、
前記室内空間を囲う輪郭に沿って基礎床の上面に設けられ基礎床から前記床パネルに向かって突起し上方に向いた側部を持つ突起部と、
前記床パネルを前記基礎床から所定の高さを持った隙間を設けて支持する支持脚と、
前記室内空間を囲う様に前記二重床と天井との間を間仕切る間仕切り壁と、
前記間仕切り壁に沿って前記床パネルの下面に敷かれる様に配置された弾性または弾塑性のうちの一方を持つマット状部材である密閉用マット部材と、
を備え、
前記間仕切り壁の下端が前記床パネルの上面に接合され、
前記突起部の前記側部が前記密閉用マット部材を前記間仕切り壁に沿って略隙間なく押し潰し、
前記突起部と前記密閉用マットとが前記間仕切り壁に沿って前記床パネルと基礎床との隙間を密閉する、
ことを特徴とする建物構造。
【請求項３】
建物の基礎床と天井の間に設けられる建物構造であって、
建物の複数の室内空間の床を形成する床パネルを有する二重床と、
前記床パネルを前記基礎床から所定の高さを持った隙間を設けて支持する支持脚と、
前記室内空間を囲う様に前記二重床と天井との間を間仕切る間仕切り壁と、
前記間仕切り壁に沿って前記床パネルと基礎床との隙間を密閉する密閉構造と、
を備え、
前記間仕切り壁の下端が前記床パネルの上面に接合され、
前記密閉構造が前記間仕切り壁に沿って１対の側部を上下方向を向く様に配置された長尺の板状部材であって一方の側部を前記二重床と基礎床との一方に固定され他方の側部を前記二重床と基礎床との他方に向けた密閉用部材と前記間仕切り壁に沿って前記二重床と基礎床との他方に敷かれる様に配置された弾性または弾塑性のうちの一方を持つマット状部材である密閉用マット部材とを有し、前記密閉用部材の他方の側部が前記密閉用マット部材を前記間仕切り壁に沿って略隙間なく押し潰す、
ことを特徴とする建物構造。
【請求項４】
前記密閉用マット部材の押し潰される側の面の全領域は前記間仕切り壁に沿って前記側部に押し潰された領域である押潰し領域と前記押潰し領域を挟む様に位置し少なくとも片方に縁部において自由状態での厚みをほぼ保持できるのに十分な幅寸法を持った領域である１対の自由状態領域とを持つ、
ことを特徴とする請求項１乃至請求項３のうちのひとつに記載の建物構造。
【請求項５】
建物の収納機器が前記室内空間の中で基礎床に直接に支持され、
前記床パネルが前記収納機器を収納する前記室内空間を囲う輪郭をもつ切欠き穴を設けられる、
ことを特徴とする請求項４に記載の建物構造。
【請求項６】
建物の基礎床と天井の間に設けられる建物構造を建造する建造方法であって、
支持脚に支持される二重床を施工する床施工工程と、
前記室内空間を囲う様に前記二重床と天井との間を間仕切る間仕切り壁を施工する間仕切り壁施工工程と、
前記間仕切り壁に沿って基礎床に敷かれる様に配置された弾性または弾塑性のうちの一方を持つマット状部材である密閉用マット部材を施工する密閉工程と、
を備え、
前記二重床が建物の複数の室内空間の床を形成する床パネルと前記室内空間を囲う輪郭に沿って該床パネルに設けられ基礎床に向かって突起し下方に向いた側部を持つ突起部とを有し、
前記支持脚が前記床パネルを前記基礎床から所定の高さを持った隙間を設けて支持し、
前記間仕切り壁の下端が前記床パネルの上面に接合され、
前記突起部の前記側部が前記密閉用マット部材を前記間仕切り壁に沿って略隙間なく押し潰し、
前記突起部と前記密閉用マットとが前記間仕切り壁に沿って前記床パネルと基礎床との隙間を密閉する、
ことを特徴とする建造方法。
【請求項７】
建物の基礎床と天井の間に設けられる建物構造を建造する建造方法であって、
支持脚に支持される二重床を施工する床施工工程と、
前記室内空間を囲う様に前記二重床と天井との間を間仕切る間仕切り壁を施工する間仕切り壁施工工程と、
前記間仕切り壁に沿って前記二重床の下面に敷かれる様に配置された弾性または弾塑性のうちの一方を持つマット状部材である密閉用マット部材を施工する密閉工程と、
を備え、
前記二重床が建物の複数の室内空間の床を形成する床パネルを有し、
前記室内空間を囲う輪郭に沿って基礎床の上面に設けられ前記床パネルに向かって突起し上方に向いた側部を持つ突起部を設けられ、
前記支持脚が前記床パネルを前記基礎床から所定の高さを持った隙間を設けて支持し、
前記間仕切り壁の下端が前記床パネルの上面に接合され、
前記突起部の前記側部が前記密閉用マット部材を前記間仕切り壁に沿って略隙間なく押し潰し、
前記突起部と前記密閉用マットとが前記間仕切り壁に沿って前記床パネルと基礎床との隙間を密閉する、
ことを特徴とする建造方法。
【請求項８】
建物の基礎床と天井の間に設けられる建物構造を建造する建造方法であって、
支持脚に支持される二重床を施工する床施工工程と、
前記室内空間を囲う様に前記二重床と天井との間を間仕切る間仕切り壁を施工する間仕切り壁施工工程と、
前記間仕切り壁に沿って前記二重床と基礎床との隙間を密閉する密閉構造を施工する密閉工程と、
を備え、
前記二重床が建物の複数の室内空間の床を形成する前記床パネルを有し、
前記支持脚が前記床パネルを前記基礎床から所定の高さを持った隙間を設けて支持し、
前記間仕切り壁の下端が前記床パネルの上面に接合され、
前記密閉構造が前記間仕切り壁に沿って１対の側部を上下方向を向く様に配置された長尺の板状部材であって一方の側部を前記二重床と基礎床との一方に固定され他方の側部を前記二重床と基礎床との他方に向ける密閉用部材と前記間仕切り壁に沿って前記二重床と基礎床との他方に敷かれる様に配置された弾性または弾塑性のうちの一方を持つマット状部材である密閉用マット部材とを有し、前記密閉用部材の他方の前記側部が前記密閉用マット部材を前記間仕切り壁に沿って略隙間なく押し潰す、
ことを特徴とする建造方法。
【請求項９】
前記密閉用マット部材の押し潰される側の面の全領域は前記間仕切り壁に沿って前記側部に押し潰された領域である押潰し領域と前記押潰し領域を挟む様に位置し少なくとも片方に縁部において自由状態での厚みをほぼ保持できるのに十分な幅寸法を持った領域である１対の自由状態領域とを持つ、
ことを特徴とする請求項６乃至請求項８のうちのひとつに記載の建造方法。
【請求項１０】
建物の収納機器が前記室内空間の中で基礎床に直接に支持され、
前記床パネルが前記収納機器を収納する前記室内空間を囲う輪郭をもつ切欠き穴を設けられる、
ことを特徴とする請求項９に記載の建造方法。
【発明の詳細な説明】
【技術分野】
【０００１】
本発明は、建物の基礎床と天井の間に設けられる建物構造とその建物構造を建造する建造方法に係る。
【背景技術】
【０００２】
近年、建物の床構造を二重床とすることがある。
二重床をもつ建物構造を建造する方法には、壁先行工法と床先行工法とがある。
壁先行工法では、間仕切り壁を施工した後で、室内空間の床毎に二重床を施工する。
床先行工法では、複数の室内空間の床を形成する二重床を施工した後で、間仕切り壁を施工する。
二重床は、支持脚で基礎床の上面との間に所定の高さを持った隙間を設ける。
支持脚は、基礎床に接する個所にゴムブッシュ等を持つ。
ゴムブッシュは、二重床に発生した振動を基礎床に伝達することを抑制できる機能を有する。
この形態の音響伝搬を固体伝搬により音響伝搬という。
二重床に乗せた家具等の重さにより、ゴムブッシュは圧縮され支持脚はその重さに応じて僅かに縮む。
壁先行工法は、従来工法であり、床の施工を狭い室内空間で行わねばならず、一旦施工された後で間仕切り壁の設置位置を変更することが困難であるといった不具合があった。
そこで、床先行工法の確立が望まれていた。
【０００３】
トイレ、ユニットバス等が、建物の室内空間に設置される。
床先行工法では、間仕切り壁の下端が二重床の上面に固定される。
ユニットバスを収納する室内空間では、水配管等の配置の関係から二重床を設けず、ユニットバスが基礎床に直接に設置される。
そこで、ユニットバス等の収納機器を収納する室内空間を囲う輪郭をもつ切欠き穴が二入床を構成する床パネルに設けられる。
そのため、ユニットバスの設けられた室内空間と隣接する室内空間の二重床と基礎床とで挟まれた床下空間とが連通する。
トイレを収納する室内空間では、二重床と基礎床との隙間に排水配管系が設けられる。
そこで、トイレを収納する室内空間の二重床と基礎床との隙間と隣接する室内空間の二重床と基礎床との隙間が連通する。
この形態の音響伝搬を、空気伝搬による音響伝搬という。
そのため、例えばユニットバスの中で湯桶等を落とすと、ユニットバスの壁が騒音を放射して、放射された音波が空気伝搬により二重床と基礎床との隙間に回り込み、二重床から室内空間に音響放射するという現象が生ずる。
また、トイレを使用した際の排水配管系から発生する音響が隣接する室内空間の二重床と基礎床との隙間に回り込み、隣接する室内空間に音響伝搬するという現象が生じる。
この現象を防止するには、上から見て室内空間を囲う輪郭または間仕切り壁に沿って床パネルと基礎床との隙間を密閉することが考えられる。
仮に、室内空間を囲う輪郭または間仕切り壁に沿って床パネルと基礎床との隙間に詰め物を詰める場合、詰め物の密度が低いと収納空間で発生した音波は遮られることなく室内空間に伝搬する。一方、詰め物の密度が高いと支持脚の動きを抑止し二重床から支持脚を通して基礎床に固体伝搬させてしまう。
【発明の概要】
【発明が解決しようとする課題】
【０００４】
本発明は以上に述べた問題点に鑑み案出されたもので、簡易な構成で音響の伝搬を抑制できる建物の基礎床と天井の間に設けられる建物構造とその建物構造の建造方法を提供する。
【課題を解決するための手段】
【０００５】
上記目的を達成するため、本発明に係る建物の基礎床と天井の間に設けられる建物構造を、建物の複数の室内空間の床を形成する床パネルと前記室内空間を囲う輪郭に沿って該床パネルに設けられ基礎床に向かって突起し下方に向いた側部を持つ突起部とを有する二重床と、前記床パネルを前記基礎床から所定の高さを持った隙間を設けて支持する支持脚と、前記室内空間を囲う様に前記二重床と天井との間を間仕切る間仕切り壁と、前記間仕切り壁に沿って基礎床に敷かれる様に配置された弾性または弾塑性のうちの一方を持つマット状部材である密閉用マット部材と、を備え、前記間仕切り壁の下端が前記床パネルの上面に接合され、前記突起部の前記側部が前記密閉用マット部材を前記間仕切り壁に沿って略隙間なく押し潰し、前記突起部と前記密閉用マットとが前記間仕切り壁に沿って前記床パネルと基礎床との隙間を密閉する、ものとした。
【０００６】
上記本発明の構成により、二重床が、建物の複数の室内空間の床を形成する床パネルと前記室内空間を囲う輪郭に沿って該床パネルに設けられ基礎床に向かって突起し下方に向いた側部を持つ突起部とを有する。支持脚が、前記床パネルを前記基礎床から所定の高さを持った隙間を設けて支持する。間仕切り壁が、前記室内空間を囲う様に前記二重床と天井との間を間仕切る。密閉用マット部材が、前記間仕切り壁に沿って基礎床に敷かれる様に配置された弾性または弾塑性のうちの一方を持つマット状部材である。前記間仕切り壁の下端が前記床パネルの上面に接合される。前記突起部の前記側部が前記密閉用マット部材を前記間仕切り壁に沿って略隙間なく押し潰す。前記突起部と前記密閉用マットとが前記間仕切り壁に沿って前記床パネルと基礎床との隙間を密閉する。
その結果、室内空間で発生した音響が隣接する二重床の下の隙間へ空気伝搬するの抑制し、さらに支持脚が二重床に生じた音響を基礎床に固体伝搬するの抑制するのを妨害しない。
【０００７】
上記目的を達成するため、本発明に係る建物の基礎床と天井の間に設けられる建物構造を、建物の複数の室内空間の床を形成する床パネルを有する二重床と、前記室内空間を囲う輪郭に沿って基礎床の上面に設けられ前記床パネルに向かって突起し上方に向いた側部を持つ突起部と、前記床パネルを前記基礎床から所定の高さを持った隙間を設けて支持する支持脚と、前記室内空間を囲う様に前記二重床と天井との間を間仕切る間仕切り壁と、前記間仕切り壁に沿って前記床パネルの下面に敷かれる様に配置された弾性または弾塑性のうちの一方を持つマット状部材である密閉用マット部材と、を備え、前記間仕切り壁の下端が前記床パネルの上面に接合され、前記突起部の前記側部が前記密閉用マット部材を前記間仕切り壁に沿って略隙間なく押し潰し、前記突起部と前記密閉用マットとが前記間仕切り壁に沿って前記床パネルと基礎床との隙間を密閉する、ものとした。
【０００８】
上記本発明の構成により、二重床が、建物の複数の室内空間の床を形成する床パネルを有する。前記床パネルに向かって突起し上方に向いた側部を持つ突起部が、前記室内空間を囲う輪郭に沿って基礎床の上面に設けられる。支持脚が、前記床パネルを前記基礎床から所定の高さを持った隙間を設けて支持する。間仕切り壁が、前記室内空間を囲う様に前記二重床と天井との間を間仕切る。密閉用マット部材が、前記間仕切り壁に沿って前記床パネルの下面に敷かれる様に配置された弾性または弾塑性のうちの一方を持つマット状部材である。前記間仕切り壁の下端が前記床パネルの上面に接合される。前記突起部の前記側部が前記密閉用マット部材を前記間仕切り壁に沿って略隙間なく押し潰す。前記突起部と前記密閉用マットとが前記間仕切り壁に沿って前記床パネルと基礎床との隙間を密閉する。
その結果、室内空間で発生した音響が隣接する二重床の下の隙間へ空気伝搬するの抑制し、さらに支持脚が二重床に生じた音響を基礎床に固体伝搬するの抑制するのを妨害しない。
【０００９】
上記目的を達成するため、本発明に係る建物の基礎床と天井の間に設けられる建物構造を、建物の複数の室内空間の床を形成する床パネルを有する二重床と、前記床パネルを前記基礎床から所定の高さを持った隙間を設けて支持する支持脚と、前記室内空間を囲う様に前記二重床と天井との間を間仕切る間仕切り壁と、前記間仕切り壁に沿って前記床パネルと基礎床との隙間を密閉する密閉構造と、を備え、前記間仕切り壁の下端が前記床パネルの上面に接合され、前記密閉構造が前記間仕切り壁に沿って１対の側部を上下方向を向く様に配置された長尺の板状部材であって一方の側部を前記二重床と基礎床との一方に固定され他方の側部を前記二重床と基礎床との他方に向けた密閉用部材と前記間仕切り壁に沿って前記二重床と基礎床との他方に敷かれる様に配置された弾性または弾塑性のうちの一方を持つマット状部材である密閉用マット部材とを有し、前記密閉用部材の他方の側部が前記密閉用マット部材を前記間仕切り壁に沿って略隙間なく押し潰す、ものとした。
【００１０】
上記本発明の構成により、二重床が、建物の複数の室内空間の床を形成する床パネルを有する。支持脚が、前記床パネルを前記基礎床から所定の高さを持った隙間を設けて支持する。間仕切り壁が、前記室内空間を囲う様に前記二重床と天井との間を間仕切る。密閉構造が、前記間仕切り壁に沿って前記床パネルと基礎床との隙間を密閉する。前記間仕切り壁の下端が前記床パネルの上面に接合される。前記密閉構造の密閉用部材が、前記間仕切り壁に沿って１対の側部を上下方向を向く様に配置された長尺の板状部材であって一方の側部を前記二重床と基礎床との一方に固定され他方の側部を前記二重床と基礎床との他方に向ける。前記密閉構造の密閉用マット部材が、前記間仕切り壁に沿って前記二重床と基礎床との他方に敷かれる様に配置された弾性または弾塑性のうちの一方を持つマット状部材である。前記密閉用部材の他方の側部が前記密閉用マット部材を前記間仕切り壁に沿って略隙間なく押し潰す。
その結果、室内空間で発生した音響が隣接する二重床の下の隙間へ空気伝搬するの抑制し、さらに支持脚が二重床に生じた音響を基礎床に固体伝搬するの抑制するのを妨害しない。
【００１１】
以下に、本発明の実施形態に係る建物構造を説明する。本発明は、以下に記載した実施形態のいずれか、またはそれらの中の二つ以上が組み合わされた態様を含む。
【００１２】
本発明の実施形態に係る建物構造は、前記密閉用マット部材の押し潰された箇所での縦弾性係数が前記二重床を室内空間を囲う輪郭に沿って支える前記支持脚の弾性部の縦弾性係数より小さくてもよい。
この様にすると、支持脚の固体伝搬を抑制する機能が阻害されない。
【００１３】
本発明の実施形態に係る建物構造は、前記密閉用マット部材の押し潰された側の面の全領域は前記間仕切り壁に沿って前記密閉用部材に押し潰された領域である押潰し領域と前記押潰し領域を挟む様に位置し少なくとも片方に縁部において自由状態での厚みをほぼ保持できるのに十分な幅寸法を持った領域である１対の自由状態領域とを持つ。
上記の実施形態の構成により、前記密閉用マット部材の押し潰された側の面の全領域は押し潰し領域と１対の自由状態領域とを持つ。前記押し潰し領域が前記間仕切り壁に沿って前記密閉用部材に押し潰された領域である。少なくとも片方の前記自由状態領域が前記押潰し領域を挟む様に位置し縁部において自由状態での厚みをほぼ保持できるのに十分な幅寸法を持った領域である。
その結果、室内空間で発生した音響が前記密閉用マット部材の前記押し潰し領域を挟む一方の端部から押し潰された箇所を通過して他方の端部へ空気伝搬する過程で大きく減衰され、音響の空気伝搬を効率良く抑制できる。
【００１４】
建物の収納機器が前記室内空間の中で基礎床に直接に支持され、前記床パネルが前記収納機器を収納する前記室内空間を囲う輪郭をもつ切欠き穴を設けられ、前記密閉用部材が前記輪郭に倣う様に固定される、
上記の実施形態の構成により、建物の収納機器が前記室内空間の中で基礎床に直接に支持される。前記床パネルが前記収納機器を収納する前記室内空間を囲う輪郭をもつ切欠き穴を設けられる。前記密閉用部材が前記輪郭に倣う様に固定される。
その結果、収納機器から発した音響が室内空間から二重床と基礎床との隙間に伝搬するのを抑制できる。
【００１５】
上記目的を達成するため、本発明に係る建物の基礎床と天井の間に設けられる建物構造を建造する建造方法を、支持脚に支持される二重床を施工する床施工工程と、前記室内空間を囲う様に前記二重床と天井との間を間仕切る間仕切り壁を施工する間仕切り壁施工工程と、前記間仕切り壁に沿って基礎床に敷かれる様に配置された弾性または弾塑性のうちの一方を持つマット状部材である密閉用マット部材を施工する密閉工程と、を備え、前記二重床が建物の複数の室内空間の床を形成する床パネルと前記室内空間を囲う輪郭に沿って該床パネルに設けられ基礎床に向かって突起し下方に向いた側部を持つ突起部とを有し、前記支持脚が前記床パネルを前記基礎床から所定の高さを持った隙間を設けて支持し、前記間仕切り壁の下端が前記床パネルの上面に接合され、前記突起部の前記側部が前記密閉用マット部材を前記間仕切り壁に沿って略隙間なく押し潰し、前記突起部と前記密閉用マットとが前記間仕切り壁に沿って前記床パネルと基礎床との隙間を密閉する、ものとした。
【００１６】
上記本発明の構成により、支持脚に支持される二重床を施工する。前記室内空間を囲う様に前記二重床と天井との間を間仕切る間仕切り壁を施工する。前記間仕切り壁に沿って基礎床に敷かれる様に配置された弾性または弾塑性のうちの一方を持つマット状部材である密閉用マット部材を施工する。前記二重床が建物の複数の室内空間の床を形成する床パネルと前記室内空間を囲う輪郭に沿って該床パネルに設けられ基礎床に向かって突起し下方に向いた側部を持つ突起部とを有する。前記支持脚が前記床パネルを前記基礎床から所定の高さを持った隙間を設けて支持する。前記間仕切り壁の下端が前記床パネルの上面に接合される。前記突起部の前記側部が前記密閉用マット部材を前記間仕切り壁に沿って略隙間なく押し潰す。前記突起部と前記密閉用マットとが前記間仕切り壁に沿って前記床パネルと基礎床との隙間を密閉する。
その結果、室内空間で発生した音響が隣接する二重床の下の隙間へ空気伝搬するの抑制し、支持脚が二重床に生じた音響を基礎床に固体伝搬するの抑制するのを妨害しない。
【００１７】
上記目的を達成するため、本発明に係る建物の基礎床と天井の間に設けられる建物構造を建造する建造方法を、支持脚に支持される二重床を施工する床施工工程と、前記室内空間を囲う様に前記二重床と天井との間を間仕切る間仕切り壁を施工する間仕切り壁施工工程と、前記間仕切り壁に沿って前記二重床の下面に敷かれる様に配置された弾性または弾塑性のうちの一方を持つマット状部材である密閉用マット部材を施工する密閉工程と、を備え、前記二重床が建物の複数の室内空間の床を形成する床パネルを有し、前記室内空間を囲う輪郭に沿って基礎床の上面に設けられ前記床パネルに向かって突起し上方に向いた側部を持つ突起部を設けられ、前記支持脚が前記床パネルを前記基礎床から所定の高さを持った隙間を設けて支持し、前記間仕切り壁の下端が前記床パネルの上面に接合され、前記突起部の前記側部が前記密閉用マット部材を前記間仕切り壁に沿って略隙間なく押し潰し、前記突起部と前記密閉用マットとが前記間仕切り壁に沿って前記床パネルと基礎床との隙間を密閉する、ものとした。
【００１８】
上記本発明の構成により、支持脚に支持される二重床を施工する。前記室内空間を囲う様に前記二重床と天井との間を間仕切る間仕切り壁を施工する。前記間仕切り壁に沿って前記二重床の下面に敷かれる様に配置された弾性または弾塑性のうちの一方を持つマット状部材である密閉用マット部材を施工する。前記二重床が建物の複数の室内空間の床を形成する床パネルを有する。前記床パネルに向かって突起し上方に向いた側部を持つ突起部が、前記室内空間を囲う輪郭に沿って基礎床の上面に設けられる。前記支持脚が前記床パネルを前記基礎床から所定の高さを持った隙間を設けて支持する。前記間仕切り壁の下端が前記床パネルの上面に接合される。前記突起部の前記側部が前記密閉用マット部材を前記間仕切り壁に沿って略隙間なく押し潰す。前記突起部と前記密閉用マットとが前記間仕切り壁に沿って前記床パネルと基礎床との隙間を密閉する。
その結果、室内空間で発生した音響が隣接する二重床の下の隙間へ空気伝搬するの抑制し、支持脚が二重床に生じた音響を基礎床に固体伝搬するの抑制するのを妨害しない。
【００１９】
上記目的を達成するため、本発明に係る建物の基礎床と天井の間に設けられる建物構造を建造する建造方法を、支持脚に支持される二重床を施工する床施工工程と、室内空間を囲う様に前記二重床と天井との間を間仕切る間仕切り壁を施工する間仕切り壁施工工程と、前記間仕切り壁に沿って前記二重床と基礎床との隙間を密閉する密閉構造を施工する密閉工程と、を備え、前記二重床が建物の複数の前記室内空間の床を形成する前記床パネルを有し、前記支持脚が前記床パネルを前記基礎床から所定の高さを持った隙間を設けて支持し、前記間仕切り壁の下端が前記床パネルの上面に接合され、前記密閉構造が前記間仕切り壁に沿って１対の側部を上下方向を向く様に配置された長尺の板状部材であって一方の側部を前記二重床と基礎床との一方に固定され他方の側部を前記二重床と基礎床との他方に向ける前記密閉用部材と前記間仕切り壁に沿って前記二重床と基礎床との他方に敷かれる様に配置された弾性または弾塑性のうちの一方を持つマット状部材である密閉用マット部材とを有し、前記密閉用部材の他方の側部が前記密閉用マット部材を前記間仕切り壁に沿って略隙間なく押し潰す、ものとした。
【００２０】
上記本発明の構成により、支持脚に支持される二重床を施工する。前記室内空間を囲う様に前記二重床と天井との間を間仕切る間仕切り壁を施工する。前記間仕切り壁に沿って前記二重床と基礎床との隙間を密閉する密閉構造を施工する。前記二重床の床パネルが建物の複数の室内空間の床を形成する。前記支持脚が前記床パネルを前記基礎床から所定の高さを持った隙間を設けて支持する。前記間仕切り壁の下端が前記床パネルの上面に接合される。前記密閉構造の密閉用部材が前記間仕切り壁に沿って１対の側部を上下方向を向く様に配置された長尺の板状部材であって一方の側部を前記二重床と基礎床との一方に固定され他方の側部を前記二重床と基礎床との他方に向ける。前記密閉構造の密閉用マット部材が前記間仕切り壁に沿って前記二重床と基礎床との他方に敷かれる様に配置された弾性または弾塑性のうちの一方を持つマット状部材である。前記密閉用部材の他方の側部が前記密閉用マット部材を前記間仕切り壁に沿って略隙間なく押し潰す。
その結果、室内空間で発生した音響が隣接する二重床の下の隙間へ空気伝搬するの抑制し、支持脚が二重床に生じた音響を基礎床に固体伝搬するの抑制するのを妨害しない。
【００２１】
以下に、本発明の実施形態に係る建物構造の建造方法を説明する。本発明は、以下に記載した実施形態のいずれか、またはそれらの中の二つ以上が組み合わされた態様を含む。
【００２２】
本発明の実施形態に係る建造方法は、前記密閉用マット部材の押し潰された箇所での縦弾性係数が前記二重床を前記室内空間を囲う輪郭に沿って支える支持脚の弾性部の縦弾性係数より小さくてもよい。
この様にすると、支持脚の固体伝搬を抑制する機能が阻害されない。
【００２３】
本発明の実施形態に係る建造方法は、前記密閉用マット部材の押し潰された側の面の全領域は前記間仕切り壁に沿って前記密閉用部材に押し潰された領域である押潰し領域と前記押潰し領域を挟む様に位置し少なくとも片方に縁部において自由状態での厚みをほぼ保持できるのに十分な幅寸法を持った領域である１対の自由状態領域とを持つ。
上記の実施形態の構成により、前記密閉用マット部材の押し潰された側の面の全領域は押し潰し領域と１対の自由状態領域とを持つ。前記押し潰し領域が前記間仕切り壁に沿って前記密閉用部材に押し潰された領域である。少なくとの片方の前記自由状態領域が前記押潰し領域を挟む様に位置し縁部において自由状態での厚みをほぼ保持できるのに十分な幅寸法を持った領域である。
その結果、室内空間で発生した音響が前記密閉用マット部材の前記押し潰し領域を挟む一方の端部から押し潰された箇所を通過して他方の端部へ空気伝搬する過程で大きく減衰され、音響の空気伝搬を効率良く抑制できる。
【００２４】
本発明の実施形態に係る建造方法は、建物の収納機器が前記室内空間の中で基礎床に直接に支持され、前記床パネルが前記収納機器を収納する前記室内空間を囲う輪郭をもつ切欠き穴を設けられ、前記密閉用部材が前記輪郭に倣う様に固定される。
上記の実施形態の構成により、建物の収納機器が前記室内空間の中で基礎床に直接に支持される。前記床パネルが前記収納機器を収納する前記室内空間を囲う輪郭をもつ切欠き穴を設けられる。前記密閉用部材が前記輪郭に倣う様に固定される。
その結果、収納機器から発した音響が室内空間から二重床の下の隙間に伝搬するのを抑制できる。
【発明の効果】
【００２５】
以上説明したように、本発明に係る建物構造とその建造方法は、その構成により、以下の効果を有する。
前記床パネルが前記支持脚に支持されて基礎床との間に所定の高さを持つ隙間を設け、前記床パネルと天井の間を前記間仕切り壁で間仕切り、床パネルから基礎床に向かって突起した突起部と基礎面に敷かれた前記密閉用マット部材とで基礎床と前記床パネルとの間を密閉し、前記突起部が前記密閉用マット部材を前記間仕切り壁に沿って押し潰す様にしたので、室内空間で発生した音響が隣接する前記二重床と基礎床の隙間へ空気伝搬するの抑制し、さらに前記支持脚が前記二重床に生じた音響を基礎床に固体伝搬するの抑制するのを妨害しない。
前記床パネルが前記支持脚に支持されて基礎床との間に所定の高さを持つ隙間を設け、前記床パネルと天井の間を前記間仕切り壁で間仕切り、基礎床から床パネルに向かって突起した突起部と床パネルの下面に敷かれた前記密閉用マット部材とで基礎床と前記床パネルとの間を密閉し、前記突起部が前記密閉用マット部材を前記間仕切り壁に沿って押し潰す様にしたので、室内空間で発生した音響が隣接する前記二重床と基礎床の隙間へ空気伝搬するの抑制し、さらに前記支持脚が前記二重床に生じた音響を基礎床に固体伝搬するの抑制するのを妨害しない。
前記床パネルが前記支持脚に支持されて基礎床との間に所定の高さを持つ隙間を設け、前記床パネルと天井の間を前記間仕切り壁で間仕切り、上下に配された前記密閉用部材と前記密閉用マット部材とで基礎床と前記床パネルとの間を密閉し、前記密閉用部材が前記密閉用マット部材を前記間仕切り壁に沿って押し潰す様にしたので、室内空間で発生した音響が隣接する前記二重床と基礎床の隙間へ空気伝搬するの抑制し、さらに前記支持脚が前記二重床に生じた音響を基礎床に固体伝搬するの抑制するのを妨害しない。
また、前記密閉用マット部材の押し潰される面の全領域の前記押し潰し領域を挟む位置に１対の前記自由状態領域を持ち、少なくとも片方の前記自由状態領域の幅寸法が端部で自由状態での厚みをほぼ保持できる寸法である様にしたので、室内空間で発生した音響が前記密閉用マット部材の前記押し潰し領域を挟む一方の端部から押し潰された箇所を通過して他方の端部へ空気伝搬する過程で大きく減衰され、音響の空気伝搬を効率良く抑制できる。
また、前記二重床を構成する前記床パネルに収納機器を収納する室内空間を囲う輪郭をもつ切欠き穴を設け、前記密閉用部材を前記輪郭に倣う様に固定したので、収納機器から発した音響が室内空間から二重床の下の隙間に伝搬するのを抑制できる。
従って、簡易な構成で車両に給電するのに適した建物構造とその建物構造を建造する建造方法を提供できる。
【図面の簡単な説明】
【００２６】
【図１】本発明の第一の実施形態に係る建物構造の平面断面図である。
【図２】本発明の第一の実施形態に係る建物構造のＡ−Ａ断面図である。
【図３】本発明の第一の実施形態に係る建物構造のＢ−Ｂ断面図である。
【図４】本発明の第一の実施形態に係る建物構造の部分断面図である。
【図５】本発明の第二の実施形態に係る建物構造の部分断面図である。
【図６】本発明の第一乃至第二の実施形態に係る建物構造のＣ−Ｃ断面図である。
【図７】本発明の第三の実施形態に係る建物構造の部分断面図である。
【図８】本発明の第四の実施形態に係る建物構造の部分断面図である。
【図９】本発明の第五の実施形態に係る建物構造の部分断面図である。
【図１０】本発明の第六の実施形態に係る建物構造の部分断面図である。
【図１１】本発明の第七の実施形態に係る建物構造の部分断面図である。
【図１２】本発明の第八の実施形態に係る建物構造の部分断面図である。
【図１３】本発明の第一乃至第八の実施形態に係る建造方法の手順図である。
【発明を実施するための形態】
【００２７】
以下、本発明を実施するための形態を、図面を参照して説明する。
【００２８】
最初に、本発明の第一の実施形態にかかる建物構造を説明する。
図１は、本発明の第一の実施形態に係る建物構造の平面断面図である。図２は、本発明の第一の実施形態に係る建物構造のＡ−Ａ断面図である。図３は、本発明の第一の実施形態に係る建物構造のＢ−Ｂ断面図である。図４は、本発明の第一の実施形態に係る建物構造の部分断面図である。図６は、本発明の第一乃至第二の実施形態に係る建物構造のＣ−Ｃ断面図である。
【００２９】
第一の実施形態にかかる建物構造は、建物の基礎床と天井の間に設けられる構造であって、二重床１０と複数の支持脚２０と複数の間仕切り壁３０と密閉構造４０と天井５０と壁構造６０とで構成される。
以下では、上下１対のスラブ構造３とコンクリート壁４とで挟まれた空間に設ける場合を例に建物構造を例に説明する。
下側のスラブ構造３は、基礎床６に相当する。
【００３０】
二重床１０は、音響の遮断等の目的で基礎床６から浮いた床であって、床パネル１１と床仕上材１２とで構成される。
床パネル１１は、建物の複数の室内空間の床を形成する板構造である、
例えば、床パネル１１は、板材である。床パネル１１は、複数の規格の寸法の板材を水平に付きあわせてできたものであってもよい。
床パネル１１は、後述する支持脚２０により支持される。
【００３１】
収納機器５が室内空間Ｈの中で基礎床６に直接に支持される場合に、床パネル１１が収納機器５を収納する室内空間Ｈを囲う輪郭Ｒをもつ切欠き穴を設けられ、間仕切り壁３０の下端が輪郭Ｒに沿って床パネルの上面に接合されてもよい。
例えば、ユニットバス等の収納機器を室内空間に納める。ユニットバス等の収納機器は室内空間Ｈのなかで基礎床６に直接に支持される。
【００３２】
床仕上材１２は、床パネル１１の上面を仕上げ処理する平材である。
例えば、床仕上材１２は、絨毯、フローリング等である。
【００３３】
複数の支持脚２０は、複数の第一支持脚２０ａと複数の第二支持脚２０ｂとで構成される。
支持脚２０は、床パネル１１を基礎床６の上面の基礎床面Ｌから所定の高さＳを持った隙間を設けて支持する機器であり、受け板２１とレベル調整ナット２２と支持ボルト２３と台座２４とで構成される。
第一支持脚２０ａは、床パネル１１を室内空間Ｈを囲う輪郭に沿って所定の間隔ごとに支持する。例えば、第一支持脚２０ａは、床パネル１１を間仕切り壁３０に沿って所定の間隔ごとに支持する。
第二支持脚２０ｂは、床パネル１１を室内空間Ｈの輪郭の内側の領域の所定の間隔ごとに支持する
受け板２１は、床パネル１１の下面に固定される板材である。受け板２１には、後述する支持ボルト２３が貫通する穴を設けられる。
レベル調整ナット２２は、後述する支持ボルト２３にねじ込まれる雌ねじを設けられた金具である。レベル調整ナット２２は、受け板２１に設けられた貫通穴の下に固定される。
支持ボルト２３は、軸心を上下方向に向けてレベル調整ナット２２にねじ込まれる雄ねじを設けられた棒状部材である。
台座２４は、弾性材料性の部材であって、支持ボルト２３の下端に固定される。
例えば、台座２４は、ゴム製である。
支持ボルト２３を回転させると受け板２１と台座２４との距離を伸長、短縮できる。
この様にすると、二重床１０に生じた振動を基礎床６に固体伝搬するのを抑制できる。また、基礎床６に生じた振動を二重床１０に固体伝搬するのを抑制できる。
第一支持脚２０ａの弾性部の縦弾性係数は、第二支持脚２０ｂの弾性部の縦弾性系数より大きくしてもよい。
例えば、第一支持脚２０ａの台座２４の縦弾性係数は、第二支持脚２０ｂの台座２４の縦弾性系数より大きくしてもよい。
この様にすると、間仕切り壁３０の近傍での二重床１０の沈み込みを小さく出来る。
【００３４】
後述する密閉用マット部材４２の押し潰された箇所での縦弾性係数が、二重床１０を室内空間を囲う輪郭に沿って支持する支持脚２０ａの弾性部の縦弾性係数より小さくてもよい。
例えば、後述する密閉用マット部材４２の押し潰された箇所での縦弾性係数が、第一支持脚２０ａの台座２４の縦弾性係数より小さくてもよい。
この様にすると、第一支持脚２０ａの固体伝搬を抑制する機能が阻害されない。
【００３５】
間仕切り壁３０は、室内空間Ｈを囲う様に二重床１０と後述する天井５０との間を間仕切る壁である。
間仕切り壁３０の下端が床パネル１１の上面に接合される。
間仕切り壁３０は、壁柱材３１と壁パネル３２と壁仕上材３３と巾木３４とで構成される。
壁柱材３１は、間仕切り壁３０の主構造材である。壁柱材３１の下端が床パネル１１に固定される。
壁パネル３２は、壁柱材３１に固定され、間仕切り壁の壁面を形成する板材である。
例えば、壁パネル３２は石こうボードである。
壁仕上材３３は、間仕切り壁３０を化粧する材である。
例えば、壁仕上げ材３３は、壁紙である。
巾木３４は、間仕切り壁３０の二重床１０に接する個所を化粧する部材である。
【００３６】
密閉構造４０は、間仕切り壁３０に沿って床パネル１１と基礎床６との隙間を密閉する構造である。
密閉構造４０は、密閉用部材４１と密閉用マット部材４２と際根太４３とで構成される。
密閉用部材４１は、間仕切り壁に沿って１対の側部Ｇを上下方向を向く様に配置された長尺の板状部材であって、一方の側部Ｇを二重床と基礎床との一方に固定され他方の側部Ｇを二重床と基礎床との他方に向くものである。
図４は、密閉用部材４１の上方の側部Ｇを二重床１０に固定され、下方の端部を基礎床６に向ける様子を示している。
密閉用部材４１の上方が、側部Ｇが床パネル１１の下面に付き合わせられる様に、後述する際根太４３に固定される。
密閉用部材４１の下方の側部Ｇと基礎床＆との間に隙間を設けられる。
【００３７】
密閉用マット部材４２は、間仕切り壁３０に沿って二重床１０と基礎床６との他方に敷かれる様に配置された弾性または弾塑性のうちの一方を持つ部材である。
密閉用部材４１の他方の側部Ｇが、密閉用マット部材４２を間仕切り壁３０に沿って略隙間なく押し潰す。
図４は、密閉用マット部材４２が間仕切り壁３０に沿って配置され基礎床６に敷かれる様に固定され、密閉用部材４１の下方の側部Ｇが密閉用マット部材４２を間仕切り壁３０に沿って略隙間なく押し潰す様子を示している。
例えば、密閉用マット部材４２は、スポンジ製、発泡樹脂製、ウレタンボード製、ロックウール製のマット状部材である。
【００３８】
密閉用マット部材４２は、押し潰される箇所の密度が上がる。
その結果、密閉用マット部材４２の押し潰された箇所が音の漏れを遮り、二重床の下に漏れる音響エネルギーを少なくすることができる。
密閉用マット部材４２の押し潰された箇所は、押し潰されるにしたがって密度が上がり、その縦弾性係数が増加する傾向がある。
押し潰された状態で、密閉用マット部材４２の押し潰された箇所の縦弾性係数を、近傍にある支持脚２０の弾性部の縦弾性係数より小さくする。
例えば、密閉用マット部材４２の押し潰された箇所の縦弾性係数を、第一支持脚２０ａの弾性部である台座２４の縦弾性係数より小さくする。
その結果。その支持脚２０が二重床１０に生じた音響を基礎床に固体伝搬するのを抑制する機能を阻害しない。
その結果、二重床１０と基礎床との間の音響の固体伝搬を抑制し、音響が二重床１０と基礎床６との隙間に空気伝搬するのを抑制できる。
【００３９】
密閉用マット部材４２の押し潰される側の面の全領域Ｗは押潰し領域Ｗ１と１対の自由状態領域Ｗ２とを持つ。
押潰し領域Ｗ１は、間仕切り壁３０に沿って密閉用部材４１に押し潰された領域である。
少なくとも片方の自由状態領域Ｗ２は、押潰し領域Ｗ１を挟む様に位置し縁部において自由状態での厚みをほぼ保持できるのに十分な幅寸法Ｄ１、Ｄ２を持った領域である。
または、両方の自由状態領域Ｗ２は、押潰し領域Ｗ１を挟む様に位置し縁部において自由状態での厚みをほぼ保持できるのに十分な幅寸法をＤ１、Ｄ２持った領域であってもよい。
図６は、押潰し領域Ｗ１と１対の自由状態領域Ｗ２との関係を示す。
【００４０】
際根太４３は、間仕切り壁３０に沿って二重床１０に固定された根太である。
図４は、際根太４３が、床パネル１１の下面に間仕切り壁３０に沿って固定される様子を示している。
際根太４３と密閉用部材４１とが一体となたＬ字形の断面を持った部材であってもよい。
【００４１】
天井５０は、室内空間Ｈの天井を形成する部材であり、天井吊り部材と天井パネルと天井仕上げ材とで構成される。
天井吊り部材が天井パネルを吊る部材である。
天井パネルは、天井を構成する板材である。
天井仕上げ材は、天井パネルを仕上げる部材である。
【００４２】
壁構造６０は、コンクリート壁に設けられた壁を構成する。
壁構造６０は、壁柱と壁パネルと壁仕上材とで構成される。
【００４３】
次に、本発明の第二の実施形態にかかる建物構造を、図を基に、説明する。
図５は、本発明の第二の実施形態に係る建物構造の部分断面図である。
【００４４】
本発明の第一の実施形態にかかる建物構造と同じ構成の説明を省略し、異なる点のみを説明する。
第二の実施形態にかかる建物構造は、建物の基礎床と天井の間に設けられる構造であって、二重床１０と複数の支持脚２０と複数の間仕切り壁３０と密閉構造４０と天井５０と壁構造６０とで構成される。
【００４５】
二重床１０は、音響の遮断等の目的で基礎床から浮いた床であって、床パネル１１と床仕上材１２とで構成される。
床パネル１１は、建物の隣接する複数の室内空間の床を形成する板構造である。
例えば、床パネルは隣接する複数の居住空間の床を形成する板構造である。
例えば、床パネルはトイレ空間の床と隣接する居住空間の床とを形成する板構造である。
例えば、床パネル１１は、板材である。
床パネル１１は、後述する支持脚２０により支持される。
【００４６】
床パネル１１は、隣接した室内空間の床を形成する。
床パネル１１は、間仕切り壁３０の真下の箇所を、支持脚２０により支持される。
【００４７】
床仕上材１２は、第一の実施形態にかかる建物構造のものと同じなので、説明を省略する。
【００４８】
支持脚２０と複数の間仕切り壁３０と密閉構造４０と天井５０と壁構造６０は、第一の実施形態にかかる建物構造のものと同じなので、説明を省略する。
【００４９】
次に、本発明の第三の実施形態にかかる建物構造を、図を基に、説明する。
図７は、本発明の第三の実施形態に係る建物構造の部分断面図である。
【００５０】
本発明の第一の実施形態にかかる建物構造と同じ構成の説明を省略し、異なる点のみを説明する。
第三の実施形態にかかる建物構造は、建物の基礎床と天井の間に設けられる構造であって、二重床１０と複数の支持脚２０と複数の間仕切り壁３０と密閉構造４０と天井５０と壁構造６０とで構成される。
【００５１】
密閉構造４０の配置を除き、他の構造は第一の実施形態にかかる建物構造のものと同じである。
床パネル１１は、収納機器を収納する室内空間を囲う輪郭をもつ切欠き穴を設けられる。
密閉構造４０の密閉用部材４１が輪郭Ｒに倣う様に固定される。  
例えば、密閉構造４０の密閉用部材４１が輪郭Ｒに倣う様に床パネル１１に固定される。  
例えば、密閉用部材４１の面と輪郭Ｒとが上から見て略一致する様に密閉用部材４１を固定しても良い。
図７は、際根太４３が、床パネル１１に輪郭Ｒに倣う様に固定され、密閉用部材４１の上端が際根太４３に固定されて、密閉用部材４１が輪郭Ｒに倣う様に固定される様子を示している。
この様にすると収納機器から発生した音響が隣接する室内空間の二重床１０と基礎床６との隙間に空気伝搬により回り込むことを抑制できる。
【００５２】
次に、本発明の第四の実施形態にかかる建物構造を、図を基に、説明する。
図８は、本発明の第四の実施形態に係る建物構造の部分断面図である。
【００５３】
本発明の第一の実施形態にかかる建物構造と同じ構成の説明を省略し、異なる点のみを説明する。
第四の実施形態にかかる建物構造は、建物の基礎床と天井の間に設けられる構造であって、二重床１０と複数の支持脚２０と複数の間仕切り壁３０と密閉構造４０と天井５０と壁構造６０とで構成される。
【００５４】
密閉構造４０の向きを除き、他の構造は第一の実施形態にかかる建物構造のものと同じである。
密閉用部材４１は、間仕切り壁に沿って１対の側部Ｇを上下方向を向く様に配置された長尺の板状部材であって、一方の側部Ｇを基礎床に固定され他方の側部Ｇを二重床に向くものである。
密閉用マット部材４２は、床パネル１１の下面に敷かれる様に固定される。
例えば、密閉用マット部材４２は、床パネル１１の下面に敷かれる様に接着される。
図７は、際根太４３に相当する部材が基礎床面Ｌに固定され、密閉用部材４１の下端が際根太４３に固定され、密閉用マット部材４２が床パネル１１に固定される様子を示している。
【００５５】
次に、本発明の第五の実施形態にかかる建物構造を、図を基に、説明する。
図９は、本発明の第五の実施形態に係る建物構造の部分断面図である。
【００５６】
本発明の第一の実施形態にかかる建物構造と同じ構成の説明を省略し、異なる点のみを説明する。
第五の実施形態にかかる建物構造は、建物の基礎床と天井の間に設けられる構造であって、二重床１０と複数の支持脚２０と複数の間仕切り壁３０と密閉構造４０と天井５０と壁構造６０とで構成される。
【００５７】
支持脚２０の受け板２１と密閉構造の密閉用部材４１を固定する部材とが同じ部材である点を除き他の構造は第一の実施形態にかかる建物構造のものと同じである。
密閉用部材４１の上端が床パネル１１の下面に突き当てられる様にして、密閉用部材４１が支持脚２０の受け板２１に直接に固定されていてもよい。
密閉構造４０の際根太４３にレベル調整ナット２２を固定し、支持脚２０の受け板２１を省略してもよい。
図９は、密閉構造４０の際根太４３にレベル調整ナット２２を固定し、密閉用部材４１の上端が床パネル１１の下面に突き当てられる様にして、密閉用部材４１を際根太４３に固定される様子を示している。
【００５８】
次に、本発明の第一の実施形態にかかる建造方法を、図を基に、説明する。
本発明の実施形態にかかる建造方法は、建物の基礎床と天井の間に設けられる建物構造を建造する建造方法であって、壁施工工程Ｓ１０と床施工工程Ｓ２０と密閉工程Ｓ３０と間仕切り壁施工工程Ｓ４０と天井施工工程Ｓ５０とで構成される。
図１３は、本発明の第一乃至第八の実施形態に係る建造方法の手順図である。
【００５９】
壁施工工程Ｓ１０は、コンクリート壁に沿って壁を施工する工程である。
【００６０】
床施工工程Ｓ２０は、支持脚２０に支持される二重床１０を施工する工程である。
二重床１０が建物の複数の室内空間Ｈの床を形成する床パネルを有する。
支持脚２０が床パネル１１を基礎床面Ｌから所定の高さＳを持った隙間を設けて支持する。
床パネル１１が間仕切り壁３０に沿った輪郭Ｒを持つ切欠き穴を設けられ、収納機器が室内空間Ｈの中で基礎床６に直接に支持されてもよい。
【００６１】
密閉工程Ｓ３０は、輪郭に沿って床パネルと基礎床との隙間を密閉する密閉構造を施工する工程である。
密閉構造４０は、密閉用部材４１と密閉用マット部材４２と際根太４３とで構成される。
密閉用部材４１は、間仕切り壁３０に沿って１対の側部Ｇが上下方向を向く様に配置された長尺の板状部材であって一方の側部Ｇが二重床１０と基礎床６との一方に固定され他方の側部Ｇが二重床１０と基礎床６との他方に向く。
密閉用マット部材４２は、間仕切り壁３０に沿って配置され、二重床１０と基礎床６との他方に敷かれる様に配置された弾性または弾塑性のうちの一方を持つマット状部材である。
密閉用部材４１の他方の側部Ｇが密閉用マット部材を間仕切り壁に沿って略隙間なく押し潰す。
密閉用マット部材４２の押し潰される側の面の全領域Ｗは間仕切り壁３０に沿って密閉用部材４１に押し潰された領域である押潰し領域Ｗ１と押潰し領域Ｗ１を挟む様に位置し少なくとも片方に縁部において自由状態での厚みをほぼ保持できるのに十分な幅寸法を持った領域である１対の自由状態領域Ｗ２とを持つ。
【００６２】
間仕切り壁施工工程Ｓ４０は、室内空間を囲う様に二重床と天井との間を間仕切る間仕切り壁を施工する工程である。
間仕切り壁３０の下端が床パネル１１の上面に接合される。
【００６３】
天井施工工程Ｓ５０は、天井を施工する工程である。
【００６４】
次に、本発明の第六の実施形態に係る建物構造を、図を基に、説明する。
図１０は、本発明の第六の実施形態に係る建物構造の部分断面図である。
【００６５】
第六の実施形態にかかる建物構造は、建物の基礎床と天井の間に設けられる構造であって、二重床１０と複数の支持脚２０と複数の間仕切り壁３０と密閉構造４０と天井５０と壁構造６０とで構成される。
以下では、上下１対のスラブ構造３とコンクリート壁４とで挟まれた空間に設ける場合を例に建物構造を例に説明する。
下側のスラブ構造３は、基礎床６に相当する。
【００６６】
二重床１０は、音響の遮断等の目的で基礎床６から浮いた床であって、床パネル１１と床仕上材１２とで構成される。
床パネル１１は、建物の複数の室内空間の床を形成する板構造である。
突起部１３が、室内空間Ｈを囲う輪郭に沿って床パネル１１に設けられ、基礎床６に向かって突起し、下方に向いた側部Ｇを持つ。
例えば、突起部１３が、室内空間Ｈを囲う輪郭に沿って床パネル１１から基礎床Ｌに向かって突起し、下方に向いた側部Ｇを持つ。
例えば、床パネル１１は、板材である。
例えば、突起部１３は、室内空間を囲う輪郭に沿って床パネル１１の下面から基礎床に向かって突起する。突起部１３の下部が下方に向いた側部Ｇを形成する。
床パネル１１は、後述する支持脚２０により支持される。
【００６７】
収納機器５が室内空間Ｈの中で基礎床６に直接に支持される場合に、床パネル１１が収納機器５を収納する室内空間Ｈを囲う輪郭Ｒをもつ切欠き穴を設けられ、間仕切り壁３０の下端が輪郭Ｒに沿って床パネルの上面に接合されてもよい。
例えば、ユニットバス等の収納機器を室内空間に納める。ユニットバス等の収納機器は室内空間Ｈのなかで基礎床６に直接に支持される。
【００６８】
床仕上材１２は、床パネル１１の上面を仕上げ処理する平材である。
例えば、床仕上材１２は、絨毯等である。
【００６９】
支持脚２０と複数の間仕切り壁３０と天井５０と壁構造６０とは、第一の実施形態にかかる建物構造のものと同じなので、説明を省略する。
【００７０】
密閉用マット部材４２は、間仕切り壁３０に沿って基礎床６に敷かれる様に配置された弾性または弾塑性のうちの一方を持つマット状部材である。
突起部１３の側部Ｇが密閉用マット部材４２を間仕切り壁３０に沿って略隙間なく押し潰す。
突起部１３と密閉用マット４２とが、間仕切り壁３０に沿って床パネル１１と基礎床６との隙間を密閉する。
図１０は、密閉用マット部材４２が間仕切り壁３０に沿って配置され基礎床６に敷かれる様に固定され、床パネル１１の突起部１４が間仕切り壁３０に沿って床パネル１１に設けられ、突起部１４の下側に向いた側部Ｇが密閉用マット部材４２を隙間なく押し潰す様子を示している。
例えば、密閉用マット部材４２は、スポンジ製、発泡樹脂製、ウレタンボード製、ロックウール製のマット状部材である。
密閉用マット部材４２は、押し潰される箇所の密度が上がる。
【００７１】
密閉用マット部材４２の押し潰される側の面の全領域Ｗは押潰し領域Ｗ１と１対の自由状態領域Ｗ２とを持つ。
押潰し領域Ｗ１は、間仕切り壁３０に沿って密閉用部材４１に押し潰された領域である。
少なくとも片方の自由状態領域Ｗ２は、押潰し領域Ｗ１を挟む様に位置し縁部において自由状態での厚みをほぼ保持できるのに十分な幅寸法Ｄ１、Ｄ２を持った領域である。
または、両方の自由状態領域Ｗ２は、押潰し領域Ｗ１を挟む様に位置し縁部において自由状態での厚みをほぼ保持できるのに十分な幅寸法をＤ１、Ｄ２持った領域であってもよい。
図６は、押潰し領域Ｗ１と１対の自由状態領域Ｗ２との関係を示す。
【００７２】
次に、本発明の第七の実施形態に係る建物構造を、図を基に、説明する。
図１１は、本発明の第七の実施形態に係る建物構造の部分断面図である。
【００７３】
第七の実施形態にかかる建物構造は、建物の基礎床と天井の間に設けられる構造であって、二重床１０と複数の支持脚２０と複数の間仕切り壁３０と密閉構造４０と天井５０と壁構造６０とで構成される。
以下では、上下１対のスラブ構造３とコンクリート壁４とで挟まれた空間に設ける場合を例に建物構造を例に説明する。
下側のスラブ構造３は、基礎床６に相当する。
基礎床６から床パネルに向かって突起し上方に向いた側部Ｇを持つ突起部７が、室内空間を囲う輪郭に沿って基礎床の上面に設けられる。
例えば、基礎床６から床パネルに向かって突起し上方に向いた側部Ｇを持つ突起部７が、間仕切り壁３０に沿って基礎床５の上面に設けられる。
【００７４】
二重床１０は、音響の遮断等の目的で基礎床６から浮いた床であって、床パネル１１と床仕上材１２とで構成される。
床パネル１１は、建物の複数の室内空間の床を形成する板構造である。
例えば、床パネル１１は、板材である。
床パネル１１は、後述する支持脚２０により支持される。
【００７５】
収納機器５が室内空間Ｈの中で基礎床６に直接に支持される場合に、床パネル１１が収納機器５を収納する室内空間Ｈを囲う輪郭Ｒをもつ切欠き穴を設けられ、間仕切り壁３０の下端が輪郭Ｒに沿って床パネルの上面に接合されてもよい。
例えば、ユニットバス等の収納機器を室内空間に納める。ユニットバス等の収納機器は室内空間Ｈのなかで基礎床６に直接に支持される。
【００７６】
床仕上材１２は、床パネル１１の上面を仕上げ処理する平材である。
例えば、床仕上材１２は、絨毯等である。
【００７７】
支持脚２０と複数の間仕切り壁３０と天井５０と壁構造６０とは、第一の実施形態にかかる建物構造のものと同じなので、説明を省略する。
【００７８】
密閉用マット部材４２は、間仕切り壁３０に沿って床パネル１１の下面に敷かれる様に配置された弾性または弾塑性のうちの一方を持つマット状部材である。
基礎床６の突起部７の側部Ｇが密閉用マット部材４２を間仕切り壁３０に沿って略隙間なく押し潰す。
基礎床６の突起部７と密閉用マット部材４２とが、間仕切り壁３０に沿って床パネル１１と基礎床６との隙間を密閉する。
図１１は、密閉用マット部材４２が間仕切り壁３０に沿って配置され床パネル１１の下面に敷かれる様に固定され、基礎床６の突起部７の上側に向いた側部Ｇが密閉用マット部材４２を隙間なく押し潰す様子を示している。
例えば、密閉用マット部材４２は、スポンジ製、発泡樹脂製、ウレタンボード製、ロックウール製のマット状部材である。
密閉用マット部材４２は、押し潰される箇所の密度が上がる。
【００７９】
密閉用マット部材４２の押し潰される側の面の全領域Ｗは押潰し領域Ｗ１と１対の自由状態領域Ｗ２とを持つ。
押潰し領域Ｗ１は、間仕切り壁３０に沿って密閉用部材４１に押し潰された領域である。
少なくとも片方の自由状態領域Ｗ２は、押潰し領域Ｗ１を挟む様に位置し縁部において自由状態での厚みをほぼ保持できるのに十分な幅寸法Ｄ１、Ｄ２を持った領域である。
または、両方の自由状態領域Ｗ２は、押潰し領域Ｗ１を挟む様に位置し縁部において自由状態での厚みをほぼ保持できるのに十分な幅寸法をＤ１、Ｄ２持った領域であってもよい。
図６は、押潰し領域Ｗ１と１対の自由状態領域Ｗ２との関係を示す。
【００８０】
次に、本発明の第八の実施形態に係る建物構造を、図を基に、説明する。
図１２は、本発明の第八の実施形態に係る建物構造の部分断面図である。
【００８１】
第八の実施形態にかかる建物構造は、建物の基礎床と天井の間に設けられる構造であって、二重床１０と複数の支持脚２０と複数の間仕切り壁３０と密閉構造４０と天井５０と壁構造６０とで構成される。
以下では、上下１対のスラブ構造３とコンクリート壁４とで挟まれた空間に設ける場合を例に建物構造を例に説明する。
下側のスラブ構造３は、基礎床６に相当する。
基礎床６から床パネル１１に向かって突起し上方に向いた側部Ｇを持つ突起部７が、室内空間Ｈを囲う輪郭に沿って基礎床６の上面に設けられる。
【００８２】
二重床１０は、音響の遮断等の目的で基礎床６から浮いた床であって、床パネル１１と床仕上材１２とで構成される。
床パネル１１は、建物の複数の室内空間の床を形成する板構造である。
突起部１３が、室内空間Ｈを囲う輪郭に沿って床パネル１１に設けられ基礎床６に向かって突起し、下方に向いた側部Ｇを持つ。
例えば、突起部１３が、室内空間Ｈを囲う輪郭に沿って床パネル１１から基礎床６に向かって突起し、下方に向いた側部Ｇを持つ。
例えば、床パネル１１は、板材である。
例えば、突起部１３は、室内空間を囲う輪郭に沿って床パネル１１の下面から基礎床に向かって突起する。突起部１３の下部が下方に向いた側部Ｇを形成する。
床パネル１１は、後述する支持脚２０により支持される。
【００８３】
収納機器５が室内空間Ｈの中で基礎床６に直接に支持される場合に、床パネル１１が収納機器５を収納する室内空間Ｈを囲う輪郭Ｒをもつ切欠き穴を設けられ、間仕切り壁３０の下端が輪郭Ｒに沿って床パネルの上面に接合されてもよい。
例えば、ユニットバス等の収納機器を室内空間に納める。ユニットバス等の収納機器は室内空間Ｈのなかで基礎床６に直接に支持される。
【００８４】
床仕上材１２は、床パネル１１の上面を仕上げ処理する平材である。
例えば、床仕上材１２は、絨毯等である。
【００８５】
支持脚２０と複数の間仕切り壁３０と天井５０と壁構造６０とは、第一の実施形態にかかる建物構造のものと同じなので、説明を省略する。
【００８６】
密閉用マット部材４２は、間仕切り壁３０に沿って床パネル１１から下方に突起する突起部１３と基礎床６か上方に突起した突起部７とに挟まれ間仕切り壁３０に沿って配置された弾性または弾塑性のうちの一方を持つマット状部材である。
床パネル１１の突起部１３の側部Ｇと基礎床６の突起部７の側部Ｇとが密閉用マット部材４２を間仕切り壁３０に沿って略隙間なく押し潰す。
床パネル１１の突起部１３と基礎床６の突起部７と密閉用マット部材４２とが、間仕切り壁３０に沿って床パネル１１と基礎床６との隙間を密閉する。
図１２は、密閉用マット部材４２が間仕切り壁３０に沿って配置され、床パネル１１から下方に突起した突起部１３の下側に向いた側部Ｇが密閉用マット部材４２の上面を隙間なく押し潰し、基礎床６から上側に向いた側部Ｇが密閉用マット部材４２の下面を隙間なく押し潰す様子を示している。
例えば、密閉用マット部材４２は、スポンジ製、発泡樹脂製、ウレタンボード製、ロックウール製のマット状部材である。
密閉用マット部材４２は、押し潰される箇所の密度が上がる。
【００８７】
密閉用マット部材４２の押し潰される側の上面と下面との両方の全領域Ｗは押潰し領域Ｗ１と１対の自由状態領域Ｗ２とを各々に持つ。
押潰し領域Ｗ１は、間仕切り壁３０に沿って密閉用部材４１に押し潰された領域である。
少なくとも片方の自由状態領域Ｗ２は、押潰し領域Ｗ１を挟む様に位置し縁部において自由状態での厚みをほぼ保持できるのに十分な幅寸法Ｄ１、Ｄ２を持った領域である。
または、両方の自由状態領域Ｗ２は、押潰し領域Ｗ１を挟む様に位置し縁部において自由状態での厚みをほぼ保持できるのに十分な幅寸法をＤ１、Ｄ２持った領域であってもよい。
図６は、押潰し領域Ｗ１と１対の自由状態領域Ｗ２との関係を示す。
【００８８】
本発明の第六乃至八の実施形態に係る建物構造の建造方法は、第一の実施形態にかかる建物構造の検討方法の手順と同じなので、説明を省略する。
【００８９】
また、本発明の実施形態に係る建物構造とその建物構造の建造方法は、その構成により、以下の効果を有する。
床パネル１１が支持脚２０に支持されて基礎床面Ｌとの間に所定の高さＳを持つ隙間を設け、床パネル１１と天井５０の間を間仕切り壁３０で間仕切り、床パネル１１から基礎床Ｌに向かって突起した突起部１３と密閉用マット部材４２とで基礎床６と床パネル１１との間を密閉し、突起部１３の側部Ｇが密閉用マット部材４２を間仕切り壁３０に沿って押し潰す様にしたので、室内空間で発生した音響が隣接する二重床１０と基礎床６の隙間へ空気伝搬するの抑制し、さらに支持脚２０が二重床１０に生じた音響を基礎床６に固体伝搬するの抑制するのを妨害しない。
また、床パネル１１が支持脚２０に支持されて基礎床面Ｌとの間に所定の高さＳを持つ隙間を設け、床パネル１１と天井５０の間を間仕切り壁３０で間仕切り、基礎床６から床パネル１１に向かって突起した突起部７と床パネル１１の下面に敷かれた密閉用マット部材４２とで基礎床６と床パネル１１との間を密閉し、突起部７が密閉用マット部材４２を間仕切り壁３０に沿って押し潰す様にしたので、室内空間Ｈで発生した音響が隣接する二重床１０と基礎床６の隙間へ空気伝搬するの抑制し、さらに支持脚２０が二重床１０に生じた音響を基礎床６に固体伝搬するの抑制するのを妨害しない。
また、床パネル１１が支持脚２０に支持されて基礎床面Ｌとの間に所定の高さＳを持つ隙間を設け、床パネル１１と天井５０の間を間仕切り壁３０で間仕切り、上下に配された密閉用部材４１と密閉用マット部材４２とで基礎床６と床パネル１１との間を密閉し、密閉用部材４１が密閉用マット部材４２を間仕切り壁３０に沿って押し潰す様にしたので、室内空間Ｈで発生した音響が隙間へ空気伝搬するの抑制し、支持脚２０が二重床１０に生じた音響を基礎床６に固体伝搬するの抑制するのを妨害しない。
また、密閉用マット部材４２の押し潰される面の全領域Ｗの押潰し領域Ｗ１を挟む位置に１対の自由状態領域Ｗ２を持ち、少なくとも片方の自由状態領域Ｗ２の幅寸法が端部で自由状態での厚みをほぼ保持できる寸法である様にしたので、室内空間でＨ発生した音響が密閉用マット部材４２の押し潰し領域を挟む一方の端部から押し潰された箇所を通過して他方の端部へ空気伝搬する過程で大きく減衰され、音響の空気伝搬を効率良く抑制できる。
また、二重床１０を構成する床パネル１１にユニットバス当の収納機器を収納する室内空間を囲う輪郭Ｒをもつ切欠き穴を設け、密閉用部材４１の上方の側部Ｇを床パネル１１に固定したので、収納機器から発した音響が室内空間Ｈから二重床の下の隙間に伝搬するのを抑制できる。
また、密閉用マット部材４２の押し潰される箇所の縦弾性係数を第一支持脚２０ａの台座２４の縦弾性係数より小さくするので、第一支持脚２０ａの音響の固体伝搬を抑制する機能を阻害しない。
また、上記建物構造を採用すると、各種の利点をもっつ床先行工法を容易に採用できる。
また、１つの室内空間Ｈにバスユニットを納めると、バスユニットから発生した音響が室内空間Ｈから隣接する室内空間Ｈの二重床１０と基礎床６の隙間に空気伝搬するのを抑制できる。また、支持脚２０の台座２４が自由に伸縮できるので、二重床１０から基礎床６への固体伝搬、または基礎床６から二重床１０への固定伝搬を抑制できる。
また、１つの室内空間Ｈにトイレユニットを納めると、トイレユニットの配水管系から発生した音響が室内空間の二重床１０と基礎床６との隙間から、隣の室内空間Ｈの二重床１０と基礎床６との隙間へ空気伝搬するのを抑制できる。また、支持脚２０の台座２４が自由に伸縮できるので、二重床１０から基礎床６への固体伝搬、または基礎床６から二重床１０への固定伝搬を抑制できる。
【００９０】
本発明は以上に述べた実施形態に限られるものではなく、発明の要旨を逸脱しない範囲で各種の変更が可能である。
際根太４３と密閉用部材４１とを別部材としたが、一体の部材としてもよい。
また、際根太４３を介して密閉用部材４１を固定したが、密閉用部材４１を直接固定してもよい。
また、密閉用部材４１の表面と裏面との一方または両方を密閉用マット部材で覆ってもよい。
【符号の説明】
【００９１】
Ｇ  側部
Ｈ  室内空間
Ｗ  全領域
Ｗ１  押潰し領域
Ｗ２  自由状態領域
Ｄ１  幅寸法
Ｄ２  幅寸法
Ｒ  輪郭
Ｌ  基礎床面
５  収納機器
６  基礎床
７  突起部
１０  二重床
１１  床パネル
１２  床仕上材
１３  突起部
２０  支持脚
２０ａ  第一支持脚
２０ｂ  第二支持脚
２１  受け板
２２  レベル調整ナット
２３  支持ボルト
２４  台座
３０  間仕切り壁
３１  壁柱材
３２  壁パネル
３３  壁仕上材
３４  巾木
４０  密閉構造
４１  密閉用部材
４２  密閉用マット部材
４３  際根太
５０  天井
６０  壁構造
Ｓ１０  壁施工工程
Ｓ２０  床施工工程
Ｓ３０  密閉工程
Ｓ４０  間仕切り壁施工工程
Ｓ５０  天井施工工程
【先行技術文献】
【特許文献】
【００９２】
【特許文献１】特開２００１ー２９５４５１号
【特許文献２】特開平７ー７１１１１号
【特許文献１】特開昭６１−２２１４４９号
【図１】
2011006892.tif 000003
【図２】
2011006892.tif 000004
【図３】
2011006892.tif 000005
【図４】
2011006892.tif 000006
【図５】
2011006892.tif 000007
【図６】
2011006892.tif 000008
【図７】
2011006892.tif 000009
【図８】
2011006892.tif 000010
【図９】
2011006892.tif 000011
【図１０】
2011006892.tif 000012
【図１１】
2011006892.tif 000013
【図１２】
2011006892.tif 000014
【図１３】
2011006892.tif 000015